(57)【要約】【課題】  周波数選択型フェージングによる通信品質の劣化を低減したマルチキャリア伝送システムを提供する。【解決手段】  送信装置１１が、ユーザ情報を少なくとも１つの信号に分割し、分割された信号の各々に、伝送路状態に応じて決定した周波数ダイバーシチ次数個のサブキャリアを割り当てて変調し、得られた信号を合成してマルチキャリア変調信号として送信する。受信装置１２は、送信装置１１からのマルチキャリア変調信号を、送信装置１１で用いられたものと同じサブキャリアで復調し、周波数ダイバーシチを構成する信号同士を合成し、得られた少なくとも１つの信号を結合してユーザ信号を得る。【選択図】      図１
2007005841.tif 000002
【特許請求の範囲】
【請求項１】
互いに周波数の異なる複数のサブキャリアを用いて送信装置から受信装置にユーザ情報を伝送するためのマルチキャリア伝送方法であって、
前記受信装置から前記送信装置に伝送路状態を通知するステップと、
前記送信装置において、前記伝送路状態に応じて周波数ダイバーシチ次数を決定するステップと、
前記ユーザ情報を少なくとも１つの第１の信号に分割し、前記第１の信号の各々に、周波数ダイバーシチを構成する前記周波数ダイバーシチ次数個のサブキャリアを割り当てるステップと、
前記第１の信号の各々に割り当てられたサブキャリアで前記第１の信号の各々を変調した後に合成し、マルチキャリア変調信号として前記受信装置に送るステップと、
前記受信装置において、前記マルチキャリア変調信号を受信し、前記送信装置で用いられた前記サブキャリアの各々で復調して複数の第２の信号を生成するステップと、
周波数ダイバーシチを構成する前記周波数ダイバーシチ次数個の前記第２の信号によりダイバーシチ受信し、少なくとも１つの第３の信号を生成するステップと、
少なくとも１つの前記第３の信号を結合して前記ユーザ情報を再生成するステップとを有するマルチキャリア伝送方法。
【請求項２】
互いに周波数の異なる複数のサブキャリアを用いて送信装置から受信装置にユーザ情報を伝送するためのマルチキャリア伝送方法であって、
前記受信装置から前記送信装置に伝送路状態を通知するステップと、
前記送信装置において、前記伝送路状態に応じて情報変調方式を選択するステップと、
前記情報変調方式および前記伝送路状態に応じて周波数ダイバーシチ次数を決定するステップと、
前記ユーザ情報を前記情報変調方式で情報変調し、第１の信号を生成するステップと、
前記第１の信号を少なくとも１つの第２の信号に分割し、前記第２の信号の各々に、周波数ダイバーシチを構成する前記周波数ダイバーシチ次数個のサブキャリアを割り当てるステップと、
前記第２の信号の各々に割り当てられたサブキャリアで前記第２の信号の各々を変調した後に合成し、マルチキャリア変調信号として前記受信装置に送るステップと、
前記受信装置において、前記マルチキャリア変調信号を受信し、前記送信装置で用いられた前記サブキャリアの各々で復調して複数の第３の信号を生成するステップと、
周波数ダイバーシチを構成する前記周波数ダイバーシチ次数個の前記第３の信号同士によりダイバーシチ受信し、少なくとも１つの第４の信号を生成するステップと、
少なくとも１つの前記第４の信号を結合して第５の信号を生成するステップと、
前記第５の信号を前記情報変調方式で情報復調して前記ユーザ情報を再生成するステップとを有するマルチキャリア伝送方法。
【請求項３】
互いに周波数の異なる複数のサブキャリアを用いて受信装置にユーザ情報を送信するマルチキャリア伝送装置であって、
前記受信装置から通知された伝送路状態に応じて周波数ダイバーシチ次数を決定するサブキャリア割り当て制御手段と、
前記ユーザ情報を少なくとも１つの信号に分割し、前記信号の各々に、周波数ダイバーシチを構成する前記周波数ダイバーシチ次数個のサブキャリアを割り当てるサブキャリア割り当て手段と、
前記信号の各々に割り当てられたサブキャリアで前記信号の各々を変調した後に合成し、マルチキャリア変調信号として前記受信装置に送るマルチキャリア変調手段とを有するマルチキャリア伝送装置。
【請求項４】
互いに周波数の異なる複数のサブキャリアを用いて受信装置にユーザ情報を送信するマルチキャリア伝送装置であって、
前記受信装置から通知された伝送路状態に応じて情報変調方式を選択する情報変調方式制御手段と、
前記情報変調方式および前記伝送路状態に応じて周波数ダイバーシチ次数を決定するサブキャリア割り当て制御手段と、
前記ユーザ情報を前記情報変調方式で情報変調し、第１の信号を生成する情報変調手段と、
前記第１の信号を少なくとも１つの第２の信号に分割し、前記第２の信号の各々に、周波数ダイバーシチを構成する前記周波数ダイバーシチ次数個のサブキャリアを割り当てるサブキャリア割り当て手段と、
前記第２の信号の各々に割り当てられたサブキャリアで前記第２の信号の各々を変調した後に合成し、マルチキャリア変調信号として前記受信装置に送るマルチキャリア変調手段とを有するマルチキャリア伝送装置。
【請求項５】
互いに周波数の異なる複数のサブキャリアを用いてユーザ情報を伝送するマルチキャリア伝送システムであって、
前記ユーザ情報を少なくとも１つの信号に分割し、分割された前記信号の各々に前記伝送路状態に応じた周波数ダイバーシチ次数個のサブキャリアを割り当てて該サブキャリアで変調し、得られた信号を合成してマルチキャリア変調信号として送信する送信装置と、
前記送信装置からの前記マルチキャリア変調信号を、前記送信装置で用いられたものと同じ前記サブキャリアで復調し、復調により得られた信号のうち周波数ダイバーシチを構成する信号によりダイバーシチ受信し、ダイバーシチ受信により得られた少なくとも１つの信号を結合して前記ユーザ信号を得る受信装置とを有するマルチキャリア伝送システム。
【請求項６】
前記送信装置は、前記伝送路状態に応じて選択した情報変調方式で前記ユーザ情報を情報変調した後に、少なくとも１つの信号に分割し、前記伝送路状態および前記情報変調方式に応じた周波数ダイバーシチ次数個のサブキャリアで前記信号の各々を変調し、前記マルチキャリア変調信号に合成し、
前記受信装置は、前記マルチキャリア変調信号を前記サブキャリアで復調し、周波数ダイバーシチを構成する前記信号によりダイバーシチ受信し、ダイバーシチ受信により得られた信号を結合した後、前記送信装置で用いられたものと同じ前記情報変調方式で情報復調して前記ユーザ信号を得る、請求項５記載のマルチキャリア伝送システム。
【発明の詳細な説明】
【技術分野】
【０００１】
本発明は、マルチキャリア伝送方式を用いたシステムに関する。
【背景技術】
【０００２】
マルチキャリア伝送方式では、周波数の異なる複数のキャリア（以下、サブキャリアと称す）によって情報が伝送される。マルチキャリア伝送方式については様々な検討がなされている（例えば、特許文献１、２参照）。
【０００３】
図１０は、従来のマルチキャリア伝送システムの構成を示すブロック図である。図１０を参照すると、マルチキャリア伝送システムは、送信装置９１と受信装置９２を有している。
【０００４】
送信装置９１は、信号入力部９３、情報変調部９４、Ｓ／Ｐ変換部（シリアルパラレル変換部）９５、およびマルチキャリア変調部９６を有している。
【０００５】
受信装置９２は、マルチキャリア復調部９７、Ｐ／Ｓ変換部９８、情報復調部９９、および信号出力部９１０を有している。
【０００６】
信号入力部９３は、送信すべきユーザ情報をユーザ情報信号として情報変調部９４に与える。
【０００７】
情報変調部９４は、信号入力部９３から与えられたユーザ情報信号を所定の情報変調方式（ディジタル変調方式）を用いて情報変調し、それにより得られたシンボルデータをＳ／Ｐ変換部９５に与える。情報変調方式としては、例えば、ＱＰＳＫ，ＱＡＭなどがある。
【０００８】
Ｓ／Ｐ変換部９５は、情報変調部９４からのシンボルデータを複数の信号からなるパラレル信号に変換してマルチキャリア変調部９６に与える。
【０００９】
マルチキャリア変調部９６は、Ｓ／Ｐ変換部９５から与えられたパラレル信号の複数の信号の各々を互いに周波数の異なるキャリアを用いて変調し、それらを合成してアンテナから送信する。
【００１０】
マルチキャリア復調部９７は、送信装置９１からの無線信号を受信し、送信装置９１のマルチキャリア変調部９６で用いられたものと同じ周波数の複数のキャリアで復調し、復調された信号をＰ／Ｓ変換部９８に与える。
【００１１】
Ｐ／Ｓ変換部９８は、マルチキャリア復調部９７からのパラレルに与えられた複数の信号をシリアルに変換し、それに得られたシンボルデータを情報復調部９９に与える。
【００１２】
情報復調部９９は、Ｐ／Ｓ変換部９８からのシンボルデータを、送信装置９１の情報変調部９４で用いられたものと同じ情報変調方式で復調して信号出力部９１０に与える。
【００１３】
信号出力部９１０は、情報復調部９９からの信号をユーザ情報信号として出力する。
【００１４】
無線通信では、様々な障害物における反射により複数の伝送経路（マルチパス）が生じる。各伝送経路の伝搬遅延の違いにより伝送帯域内の周波数特性が歪む。これは周波数選択型フェージングと呼ばれ、通信品質を低下させる原因となっている。移動体通信においては、通信装置間には様々な障害物があり、マルチパスは避けられない。
【００１５】
マルチキャリア伝送方式を用いると、周波数の異なる複数のキャリアを用いて、ユーザ情報を伝送するため、周波数選択型フェージングの影響を低減することができる。
【特許文献１】特開２００２−１０１０６２号公報
【特許文献２】特開２００２−１９８９３０号公報
【発明の開示】
【発明が解決しようとする課題】
【００１６】
マルチキャリア伝送システムによれば周波数選択型フェージングの影響が低減されるが、周波数選択型フェージングによるサブキャリアのレベル変動が大きければ、やはり通信品質の劣化は生じる。特に、ＱＡＭのように信号対雑音電力（ＳＮＲ）が大きいことを必要とするような情報変調方式を用いた場合、周波数選択型フェージングによる通信品質の劣化が著しい。
【００１７】
本発明の目的は、周波数選択型フェージングによる通信品質の劣化を低減したマルチキャリア伝送システムを提供することである。
【課題を解決するための手段】
【００１８】
上記目的を達成するために、本発明のマルチキャリア伝送システムは、互いに周波数の異なる複数のサブキャリアを用いてユーザ情報を伝送するマルチキャリア伝送システムであって、
前記ユーザ情報を少なくとも１つの信号に分割し、分割された前記信号の各々に前記伝送路状態に応じた周波数ダイバーシチ次数個のサブキャリアを割り当てて該サブキャリアで変調し、得られた信号を合成してマルチキャリア変調信号として送信する送信装置と、
前記送信装置からの前記マルチキャリア変調信号を、前記送信装置で用いられたものと同じ前記サブキャリアで復調し、復調により得られた信号のうち周波数ダイバーシチを構成する信号によりダイバーシチ受信し、ダイバーシチ受信により得られた少なくとも１つの信号を結合して前記ユーザ信号を得る受信装置とを有している。
【００１９】
本発明のマルチキャリア伝送システムによれば、送信装置が伝送路状態に応じて周波数ダイバーシチ次数を変化させてユーザ情報をマルチキャリア変調して送信し、受信装置がマルチキャリア逆変調し、周波数ダイバーシチの各信号を合成してユーザ信号を再生成する。
【００２０】
また、前記送信装置は、前記伝送路状態に応じて選択した情報変調方式で前記ユーザ情報を情報変調した後に、少なくとも１つの信号に分割し、前記伝送路状態および前記情報変調方式に応じた前記周波数ダイバーシチ次数個のサブキャリアで前記信号の各々を変調し、前記マルチキャリア変調信号に合成し、
前記受信装置は、前記マルチキャリア変調信号を前記サブキャリアで復調し、周波数ダイバーシチを構成する前記信号によりダイバーシチ受信し、ダイバーシチ受信により得られた信号を結合した後、前記送信装置で用いられたものと同じ前記情報変調方式で情報復調して前記ユーザ信号を得ることとしてもよい。
【００２１】
本発明のマルチキャリア伝送システムによれば、伝送路状態に応じて、送信装置が情報変調方式を変化させ、周波数ダイバーシチ次数を変化させる。
【００２２】
また、本発明のマルチキャリア伝送方法は、互いに周波数の異なる複数のサブキャリアを用いて送信装置から受信装置にユーザ情報を伝送するためのマルチキャリア伝送方法であって、
前記受信装置から前記送信装置に伝送路状態を通知するステップと、
前記送信装置において、前記伝送路状態に応じて周波数ダイバーシチ次数を決定するステップと、
前記ユーザ情報を少なくとも１つの第１の信号に分割し、前記第１の信号の各々に、周波数ダイバーシチを構成する前記周波数ダイバーシチ次数個のサブキャリアを割り当てるステップと、
前記第１の信号の各々に割り当てられたサブキャリアで前記第１の信号の各々を変調した後に合成し、マルチキャリア変調信号として前記受信装置に送るステップと、
前記受信装置において、前記マルチキャリア変調信号を受信し、前記送信装置で用いられた前記サブキャリアの各々で復調して複数の第２の信号を生成するステップと、
周波数ダイバーシチを構成する前記周波数ダイバーシチ次数個の前記第２の信号によりダイバーシチ受信し、少なくとも１つの第３の信号を生成するステップと、
少なくとも１つの前記第３の信号を結合して前記ユーザ情報を再生成するステップとを有している。
【００２３】
また、本発明の他のマルチキャリア伝送方法は、互いに周波数の異なる複数のサブキャリアを用いて送信装置から受信装置にユーザ情報を伝送するためのマルチキャリア伝送方法であって、
前記受信装置から前記送信装置に伝送路状態を通知するステップと、
前記送信装置において、前記伝送路状態に応じて情報変調方式を選択するステップと、
前記情報変調方式および前記伝送路状態に応じて周波数ダイバーシチ次数を決定するステップと、
前記ユーザ情報を前記情報変調方式で情報変調し、第１の信号を生成するステップと、
前記第１の信号を少なくとも１つの第２の信号に分割し、前記第２の信号の各々に、周波数ダイバーシチを構成する前記周波数ダイバーシチ次数個のサブキャリアを割り当てるステップと、
前記第２の信号の各々に割り当てられたサブキャリアで前記第２の信号の各々を変調した後に合成し、マルチキャリア変調信号として前記受信装置に送るステップと、
前記受信装置において、前記マルチキャリア変調信号を受信し、前記送信装置で用いられた前記サブキャリアの各々で復調して複数の第３の信号を生成するステップと、
周波数ダイバーシチを構成する前記周波数ダイバーシチ次数個の前記第３の信号によりダイバーシチ受信し、少なくとも１つの第４の信号を生成するステップと、
少なくとも１つの前記第４の信号を結合して第５の信号を生成するステップと、
前記第５の信号を前記情報変調方式で情報復調して前記ユーザ情報を再生成するステップとを有している。
【００２４】
本発明のマルチキャリア伝送装置は、互いに周波数の異なる複数のサブキャリアを用いて受信装置にユーザ情報を送信するマルチキャリア伝送装置であって、
前記受信装置から通知された伝送路状態に応じて周波数ダイバーシチ次数を決定するサブキャリア割り当て制御手段と、
前記ユーザ情報を少なくとも１つの信号に分割し、前記信号の各々に、周波数ダイバーシチを構成する前記周波数ダイバーシチ次数個のサブキャリアを割り当てるサブキャリア割り当て手段と、
前記信号の各々に割り当てられたサブキャリアで前記信号の各々を変調した後に合成し、マルチキャリア変調信号として前記受信装置に送るマルチキャリア変調手段とを有している。
【００２５】
また、本発明の他のマルチキャリア伝送装置は、互いに周波数の異なる複数のサブキャリアを用いて受信装置にユーザ情報を送信するマルチキャリア伝送装置であって、
前記受信装置から通知された伝送路状態に応じて情報変調方式を選択する情報変調方式制御手段と、
前記情報変調方式および前記伝送路状態に応じて周波数ダイバーシチ次数を決定するサブキャリア割り当て制御手段と、
前記ユーザ情報を前記情報変調方式で情報変調し、第１の信号を生成する情報変調手段と、
前記第１の信号を少なくとも１つの第２の信号に分割し、前記第２の信号の各々に、周波数ダイバーシチを構成する前記周波数ダイバーシチ次数個のサブキャリアを割り当てるサブキャリア割り当て手段と、
前記第２の信号の各々に割り当てられたサブキャリアで前記第２の信号の各々を変調した後に合成し、マルチキャリア変調信号として前記受信装置に送るマルチキャリア変調手段とを有している。
【発明の効果】
【００２６】
本発明によれば、送信装置が伝送路状態に応じて周波数ダイバーシチ次数を変化させてユーザ情報をマルチキャリア変調して送信し、受信装置がマルチキャリア逆変調し、周波数ダイバーシチの各信号を合成してユーザ信号を再生成するので、伝送路状態が良ければ通信速度を高くし、周波数選択型フェージングの影響で伝送路状態が悪ければ周波数ダイバーシチにより通信品質の劣化を低減させることができる。
【００２７】
また、伝送路状態に応じて、送信装置が情報変調方式を変化させ、周波数ダイバーシチ次数を変化させるので、伝送路状態が良ければ通信速度を高くし、伝送路状態が悪い場合でも通信品質の劣化を低減させることができる。
【発明を実施するための最良の形態】
【００２８】
本発明の一実施形態について図面を参照して詳細に説明する。
【００２９】
図１は、本発明の一実施形態によるマルチキャリア伝送システムの構成を示すブロック図である。図１を参照すると、マルチキャリア伝送システムは、送信装置１１および受信装置１２を有している。
【００３０】
送信装置１１は、信号入力部１３、情報変調部１４、サブキャリア割り当て部１５、マルチキャリア変調部１６、およびサブキャリア割り当て制御部１７を有している。
【００３１】
受信装置１２は、マルチキャリア復調部１８、サブキャリア合成部１９、情報復調部２０、および信号出力部２１を有している。
【００３２】
送信装置１１において、信号入力部１３は、送信すべきユーザ情報をユーザ情報信号として情報変調部１４に与える。
【００３３】
情報変調部１４は、信号入力部１３から与えられたユーザ情報信号を所定の情報変調方式（ディジタル変調方式）を用いて情報変調し、それにより得られたシンボルデータをサブキャリア割り当て部１５に与える。情報変調方式としては、例えば、ＱＰＳＫ、ＱＡＭなどがある。
【００３４】
サブキャリア割り当て部１５は、サブキャリア割り当て制御部１７からの指示に従って、シンボルデータを分割して少なくとも１つのパラレルの信号に変換した信号の各々にサブキャリアを割り当てる。そして、サブキャリア割り当て部１５は、各信号とそれに割り当てられたサブキャリアの情報とをマルチキャリア変調部１６に与える。その際、パラレルに変換された信号の各々には、サブキャリアが１つ割り当てられることもあり、また複数のサブキャリアが割り当てられることもある。サブキャリアの情報は、例えば、各サブキャリアを識別するためのサブキャリア番号である。
【００３５】
また、サブキャリア割り当て部１５は、各信号に割り当てたサブキャリア情報と、どのサブキャリア同士を同じ信号に割り当てたかを示す対応情報とを受信装置１２に予め通知する。
【００３６】
マルチキャリア変調部１６は、サブキャリア割り当て部１５からの各信号を、その信号に割り当てられたサブキャリアで変調（アナログ変調）してそれらを合成し、マルチキャリア変調信号をアンテナから送信する。なお、一例として、各サブキャリアは互いに直交するように選択され、直交変調が行われる。
【００３７】
サブキャリア割り当て制御部１７は、伝送路状態情報とサブキャリア数の対応を予めテーブルに記憶している。そして、サブキャリア割り当て制御部１７は、受信装置１２からフィードバックされている伝送路状態情報に基づいてテーブルを参照し、１つの信号に割り当てるサブキャリア数を決定し、さらに各信号に割り当てるサブキャリア番号を決定し、サブキャリア割り当て部１５に通知する。伝送路状態情報とは、伝送路の状態を示す情報であり、例えばＳＩＲ（信号対干渉電力比）が用いられる。１つの信号に割り当てるサブキャリア数は、すなわち周波数ダイバーシチ次数となる。
【００３８】
受信装置１２において、マルチキャリア復調部１８は、送信装置１１からの無線信号を受信し、送信装置１１のマルチキャリア変調部１６で用いられたものと同じ複数のサブキャリアで復調し、復調された各信号をサブキャリア合成部１９に与える。
【００３９】
サブキャリア合成部１９は、マルチキャリア復調部１８からの各信号について、サブキャリア割り当て部１５から通知された情報に基づき、複数のサブキャリアが割り当てられた同じ信号同士を合成（ダイバーシチ合成）した後さらに全ての信号をシリアルに変換して結合したシンボルデータを情報復調部２０に与える。その際、サブキャリア合成部１９は、例えば伝送路推定に従って各サブキャリア毎に伝送路歪みを補償して合成する。
【００４０】
情報復調部２０は、サブキャリア合成部１９からのシンボルデータを、送信装置１１の情報変調部１４で用いられたものと同じ情報変調方式で復調して信号出力部２１に与える。
【００４１】
信号出力部２１は、情報復調部２０からの信号をユーザ情報信号として出力する。また、信号出力部２１は、例えばパイロット信号のような、送信装置１１から送出された所定の制御信号を元に伝送路状態（ＳＩＲ）を測定し、伝送路状態情報として送信装置１１にフィードバックする。
【００４２】
図２は送信装置１１の動作を示すフローチャートであり、図３は受信装置１２の動作を示すフローチャートである。図４は、伝送路状態（ＳＩＲ）と、サブキャリア数およびサブキャリア配列パターンとの対応表の一例である。図４において、ＳＩＲ1、ＳＩＲ2、ＳＩＲ3、ＳＩＲ4はＳＩＲ値であり、それらの相互関係はＳＩＲ1＞ＳＩＲ2＞ＳＩＲ3＞ＳＩＲ4である。ｎは、サブキャリア番号である。図５、６はサブキャリ割り当て例を示す図である。
【００４３】
図２を参照すると、送信装置１１では、まず、サブキャリア割り当て制御部１７が受信装置１２から伝送路状態（ＳＩＲ）を取得する（ステップ１０１）。そして、サブキャリア割り当て制御部１７が、図４の対応表を参照して同じ信号に割り当てるサブキャリア数とサブキャリア配列パターンを決定し、さらにそのサブキャリア番号（図４ではｎ）を決定する（ステップ１０２）。
【００４４】
信号入力部１３にユーザ情報が入力されると（ステップ１０３）、情報変調部１４がそのユーザ情報を情報変調する（ステップ１０４）。
【００４５】
次に、サブキャリア割り当て部１５が、ユーザ情報が情報変調されたシンボルデータをパラレルの信号に変換し、各信号にサブキャリアを割り当てる（ステップ１０５）。
【００４６】
例えば、取得されたＳＩＲ値がＳＩＲ2〜ＳＩＲ3であれば、図４よりサブキャリア数は“２”である。したがって、情報変調部１４からのシンボルデータａ１，ａ２，ａ３，ａ４・・・は、図５に示すように、サブキャリア割り当て部１５において、信号ａ１，ａ３，ａ５・・・と、信号ａ２，ａ４，ａ６・・・とに変換される。また、信号ａ１，ａ３，ａ５・・・には２つのサブキャリアｆ１，ｆ３が割り当てられ、信号ａ２，ａ４，ａ６・・・には２つのサブキャリアｆ２，ｆ４が割り当てられる。
【００４７】
なお、サブキャリアｆ１のサブキャリア番号をｎ１とすると、サブキャリアｆ３のサブキャリア番号は（ｎ１＋Ｎ／２）である。また、サブキャリアｆ２のサブキャリア番号をｎ２とすると、サブキャリアｆ４のサブキャリア番号は（ｎ２＋Ｎ／２）である。ここでＮは全サブキャリア数である。
【００４８】
また、他の例として、取得されたＳＩＲ値がＳＩＲ1〜ＳＩＲ2であれば、図４よりサブキャリア数は“１”である。したがって、情報変調部１４からのシンボルデータａ１，ａ２，ａ３，ａ４・・・は、図６に示すように、サブキャリア割り当て部１５において、信号ａ１，ａ５，ａ９・・・、信号ａ２，ａ６，ａ１０・・・、信号ａ３，ａ７，ａ１１・・・、および信号ａ４，ａ８，ａ１２・・・に変換される。また、信号ａ１，ａ５，ａ９・・・にはサブキャリアｆ１が、信号ａ２，ａ６，ａ１０・・・にはサブキャリアｆ２が、信号ａ３，ａ７，ａ１１・・・にはサブキャリアｆ３が、信号ａ４，ａ８，ａ１２・・・にはサブキャリアｆ４がそれぞれ１つづつ割り当てられる。
【００４９】
図２の説明に戻ると、次に、マルチキャリア変調部１６が、各信号の各々を、各々に割り当てられたサブキャリアの周波数で変調して合成し（ステップ１０６）、無線信号としてアンテナから送信する（ステップ１０７）。
【００５０】
図３を参照すると、受信装置１２では、マルチキャリア復調部１８が、送信装置１１からの無線信号を受信し（ステップ２０１）、直交逆変換により復調してサブキャリアに分離する（ステップ２０２）。
【００５１】
次に、サブキャリア合成部１９が、送信装置１１のサブキャリア割り当て部１５にて複数のサブキャリアが割り当てられた同じ信号同士を合成する（ステップ２０３）。その際、サブキャリア合成部１９は、例えば伝送路推定に従って各サブキャリア毎に伝送路歪みを補償して合成する。
【００５２】
次に、情報復調部２０が、送信装置１１の情報変調部１４にて用いられた情報変調方式で復調し（ステップ２０４）、信号出力部２１がユーザ情報として出力する（ステップ２０５）。
【００５３】
以上説明したように、本実施形態のマルチキャリア伝送システムによれば、送信装置１１のサブキャリア割り当て部１５が伝送路状態に応じて周波数ダイバーシチ次数を変化させ、マルチキャリア変調部１６がマルチキャリアを直交変調して送信し、受信装置１２のマルチキャリア復調部１８がマルチキャリアを直交逆変換し、サブキャリア合成部１９が周波数ダイバーシチの各信号を合成するので、伝送路状態が良ければ通信速度を高くし、周波数選択型フェージングの影響で伝送路状態が悪ければ周波数ダイバーシチにより通信品質の劣化を低減させることができる。
【００５４】
なお、本実施形態では、一例として４つのサブキャリアによるマルチキャリア伝送を示したが、本発明はそれに限定されず、サブキャリア数に制限は無い。
【００５５】
また、本実施形態では、一例として、伝送路状態を示すパラメータとしてＳＩＲを示したが、本発明はそれに限定されず、他のパラメータを用いてもよい。
【００５６】
また、本実施形態では、一例として１つの信号に１〜３個のサブキャリアを割り当てる例を示したが（図４参照）本発明はそれに限定されず、１つの信号に割り当てるサブキャリア数に制限は無い。また、図４の表は一例であり、本発明はこれに限定されない。例えば、本発明におけるサブキャリアの周波数帯に制限はない。
【００５７】
また、本実施形態では、一例として、サブキャリア合成部１９は伝送路推定に基づいて各サブキャリアの伝送路歪みを補償することとしたが、本発明はそれに限定されず、他の補償方法を用いてもよい。
【００５８】
また、本実施形態のサブキャリア合成部１９では、ダイバーシチ受信の一例として各信号を合成する例を示したが、本発明はそれに限定されず、いずれかの信号を選択するダイバーシチ受信を用いてもよい。
【００５９】
本発明の他の実施形態について図面を参照して説明する。
【００６０】
図７は、本発明の他の実施形態によるマルチキャリア伝送システムの構成を示すブロック図である。
【００６１】
図７を参照すると、マルチキャリア伝送システムは、送信装置３１および受信装置３２を有している。送信装置３１は、信号入力部１３、情報変調部１４、サブキャリア割り当て部１５、マルチキャリア変調部１６、サブキャリア割り当て制御部１７、および情報変調方式制御部３３を有している。受信装置３２は、マルチキャリア復調部１８、サブキャリア合成部１９、情報復調部２０、および信号出力部２１を有している。
【００６２】
図７のマルチキャリア伝送システムは、送信装置３１が情報変調方式制御部３３を有する点で図１と異なる。
【００６３】
情報変調方式制御部３３は、受信装置３２からフィードバックされた伝送路状態情報（ＳＩＲ）を参照して、情報変調部１４で用いる情報変調方式を選択し、情報変調部１４およびサブキャリア割り当て制御部１７に通知する。例えば、伝送路状態が良ければ、伝送路状態が良いことを必要とする通信効率の良い情報変調方式を選択できるが、伝送路状態が悪ければ、伝送路状態が悪くても通信品質の劣化の少ない情報変調方式を選択するのが好ましい。
【００６４】
情報変調部１４は、情報変調方式制御部３３から通知された情報変調方式を用いて、信号入力部１３からのユーザ情報信号を情報変調する。
【００６５】
サブキャリア割り当て制御部１７は、情報変調方式および伝送路状態情報と、サブキャリア数との対応をテーブルに予め記憶している。そして、サブキャリア割り当て制御部１７は、情報変調方式制御部３３から通知された情報変調方式と伝送路状態情報を用いてテーブルを参照し、１つの信号に割り当てるサブキャリア数を決定する。
【００６６】
図８は他の実施形態による送信装置３１の動作を示すフローチャートである。図９は、情報変調方式および伝送路状態（ＳＩＲ）と、サブキャリア数およびサブキャリア配列パターンとの対応表の一例である。
【００６７】
図８を参照すると、送信装置３１では、まず、情報変調方式制御部３３が受信装置３２から伝送路状態（ＳＩＲ）を取得する（ステップ３０１）。そして、情報変調方式制御部３３が、情報変調部１４で用いるべき情報変調方式を選択して情報変調部１４およびサブキャリア割り当て部１７に通知する（ステップ３０２）。
【００６８】
次に、サブキャリア割り当て部１７が、図９の対応表を参照して同じ信号に割り当てるサブキャリア数とサブキャリア配列パターンを決定し、さらにそのサブキャリア番号（図９ではｎ）を決定する（ステップ３０３）。
【００６９】
信号入力部１３にユーザ情報が入力されると（ステップ３０４）、情報変調部１４が、情報変調方式制御部３３から通知された情報変調方式でユーザ情報を情報変調する（ステップ３０５）。
【００７０】
次に、サブキャリア割り当て部１５では、ユーザ情報が情報変調されたシンボルデータをパラレルの信号に変換され、各信号に対してサブキャリア割り当て制御部１７から通知されたサブキャリア数、サブキャリア配列パターンに従い、各信号にサブキャリアを割り当てる（ステップ３０６）。
【００７１】
次に、マルチキャリア変調部１６が、各信号の各々を、各々に割り当てられたサブキャリアの周波数で変調して合成し（ステップ３０７）、無線信号としてアンテナから送信する（ステップ３０８）。
【００７２】
受信装置３２の動作は図１に示した受信装置１２と同様の動作である。
【００７３】
以上説明したように、本実施形態のマルチキャリア伝送システムによれば、伝送路状態に応じて、送信装置３１の情報変調部１４が情報変調方式を変化させ、サブキャリア割り当て部１５が周波数ダイバーシチ次数を変化させることにより、伝送路状態が良ければ通信速度を高くし、伝送路状態が悪い場合でも通信品質の劣化を低減させることができる。
【図面の簡単な説明】
【００７４】
【図１】本発明の一実施形態によるマルチキャリア伝送システムの構成を示すブロック図である。
【図２】本発明の一実施形態による送信装置の動作を示すフローチャートである。
【図３】本発明の一実施形態による受信装置の動作を示すフローチャートである。
【図４】伝送路状態（ＳＩＲ）と、サブキャリア数およびサブキャリア配列パターンとの対応表の一例である。
【図５】図５はサブキャリ割り当ての一例を示す図である。
【図６】図６はサブキャリ割り当ての他の例を示す図である。
【図７】本発明の他の実施形態によるマルチキャリア伝送システムの構成を示すブロック図である。
【図８】本発明の他の実施形態による送信装置の動作を示すフローチャートである。
【図９】情報変調方式および伝送路状態（ＳＩＲ）と、サブキャリア数およびサブキャリア配列パターンとの対応表の一例である。
【図１０】従来のマルチキャリア伝送システムの構成を示すブロック図である。
【符号の説明】
【００７５】
１１，３１    送信装置
１２，３２    受信装置
１３    信号入力部
１４    情報変調部
１５    サブキャリア割り当て部
１６    マルチキャリア変調部
１７    サブキャリア割り当て制御部
１８    マルチキャリア復調部
１９    サブキャリア合成部
２０    情報復調部
２１    信号出力部
３３    情報変調方式制御部
１０１〜１０７，２０１〜２０５，３０１〜３０８    ステップ
【図１】
2007005841.tif 000003
【図２】
2007005841.tif 000004
【図３】
2007005841.tif 000005
【図４】
2007005841.tif 000006
【図５】
2007005841.tif 000007
【図６】
2007005841.tif 000008
【図７】
2007005841.tif 000009
【図８】
2007005841.tif 000010
【図９】
2007005841.tif 000011
【図１０】
2007005841.tif 000012